(57)【要約】【課題】  インターネットによる情報配信と高解像度媒体による情報配信を合理的に両立させるようにする。【解決手段】  サーバを用いて情報を配信する情報配信システム１であって、グループ蓄積部にはグループの所属を意味する高解像度のれん表示情報が複数登録しておき、コンテンツ蓄積部には。ＷＥＢ用画像及び該ＷＥＢ用画像より高解像度のオリジナル画像を含む状態で個別配信情報を蓄積しておく。個別ＷＥＢページにアクセスがあった際に、このＷＥＢ用画像を利用して前記個別ＷＥＢページを配信する一方、情報配信者からグループ管理者に対して高解像度媒体の出力指示があった場合には、高解像度のれん表示情報及びオリジナル画像を合成して高解像度出力データを生成するようにした。【選択図】図１
2007102663.tif 000002
【特許請求の範囲】
【請求項１】
サーバを用い、通信回線を介して情報を配信する情報配信システムであって、
グループの所属を意味する高解像度のれん表示情報が複数登録されるグループ蓄積部と、
情報配信者の個別ＷＥＢページを生成するためのＷＥＢ用画像及び該ＷＥＢ用画像と比較して高解像度のオリジナル画像を含む個別配信情報が、該情報配信者毎に蓄積管理されるコンテンツ蓄積部と、
前記通信回線を介して前記個別ＷＥＢページにアクセスがあった際に、該ＷＥＢ用画像を利用して前記個別ＷＥＢページを配信する個別配信部と、
前記グループの管理者が、自らの前記グループに所属する前記情報配信者に対して、高解像度媒体の出力を促す催促画面を配信する高解像度媒体提案部と、
前記高解像度媒体提案部を介して、前記情報配信者から前記グループ管理者に対して高解像度媒体の出力指示があった場合に、前記高解像度のれん表示情報及び前記オリジナル画像を含む前記個別配信情報を合成して高解像度出力データを生成する高解像度データ生成部と、
を有することを特徴とする情報配信システム。
【請求項２】
前記グループ蓄積部が、各グループに対して複数種類の高解像度のれん表示情報を蓄積管理可能となっており、
前記高解像度媒体提案部の前記催促画面では、前記情報配信者が前記複数種類の高解像度のれん表示情報から所望の情報を選択可能となっていること特徴とする請求項１記載の情報配信システム。
【請求項３】
前記グループ蓄積部が、前記高解像度のれん表示情報として、ちらし用高解像度のれん表示情報及び電子ポスター用高解像度のれん表示情報を少なくとも蓄積可能となっており、
前記高解像度データ生成部が、ちらし用高解像度出力データ及び電子ポスター用高解像度出力データを生成可能となっていること特徴とする請求項１又は２記載の情報配信システム。
【請求項４】
更に、前記グループ蓄積部によって生成された前記電子ポスター用高解像度出力データを通信回線を解して受信し、電子ポスターとして画面表示可能なディスプレイ装置を備えることを特徴とする請求項３記載の情報配信システム。
【請求項５】
前記グループ蓄積部が、前記高解像度のれん表示情報として、前記グループが発行する高解像度媒体の広告枠テンプレート情報を蓄積管理可能となっており、
前記高解像度媒体提案部の前記催促画面では、前記情報配信者が前記広告枠テンプレート情報を選択可能となっており、
前記高解像度データ生成部では、前記高解像度媒体の広告ページデータが生成されることを特徴とする請求項１乃至４のいずれか記載の情報配信システム。
【請求項６】
更に、前記高解像度データ生成部において生成された高解像度出力データを電子メールを利用して前記情報配信者に送信する高解像度データ送信部を備えることを特徴とする請求項１乃至５のいずれか記載の情報配信システム。
【請求項７】
前記グループ蓄積部には、更に、前記グループの所属を意味するＷＥＢ用のれん表示情報が複数登録され、
前記通信回線を介して前記個別ＷＥＢページにアクセスがあった際に、前記個別配信部が、前記所属関係管理部の前記所属情報に基づいて前記ＷＥＢ用のれん表示情報を該個別ＷＥＢページに含めることで、前記グループに所属した状態で該個別ＷＥＢページを配信することを特徴とする請求項１乃至６のいずれか記載の情報配信システム。
【請求項８】
前記ＷＥＢ用のれん表示情報が横幅方向に長い棒形式の情報とされており、前記個別配信部が、該ＷＥＢ用のれん表示情報を前記個別ＷＥＢページの上部に表示させるようにしたことを特徴とする請求項７に記載の情報配信システム。
【請求項９】
前記ＷＥＢ用のれん表示情報には、メニューとして機能する複数のリンクボタンが含まれていることを特徴とする請求項７又は８記載の情報配信システム。
【請求項１０】
前記グループ蓄積部には、各々の前記グループに関する案内情報が登録されており、前記ＷＥＢ用のれん表示情報に含まれる前記リンクボタンを経由して、前記案内情報にアクセス可能になっていることを特徴とする請求項９記載の情報配信システム。
【請求項１１】
前記所属関係管理部における前記所属情報には、前記情報配信者が現在所属している前記グループ及び過去に所属していた前記グループの双方が定義されており、
前記個別配信部が、過去に所属していた前記グループの前記ＷＥＢ用のれん表示情報を前記個別ＷＥＢページに含めて配信可能となっていることを特徴とする請求項７乃至１０のいずれか記載の情報配信システム。
【請求項１２】
前記個別配信部が、現在所属する前記グループの前記ＷＥＢ用のれん表示情報を前記個別ＷＥＢページの上部に配置すると共に、過去に所属していた前記グループの前記ＷＥＢ用のれん表示情報を該個別ＷＥＢページの下部に配置したことを特徴とする請求項１１記載の情報配信システム。
【請求項１３】
前記グループに所属する複数の情報配信者の前記個別配信情報を用いてグループ総合ページを生成・配信するグループ配信部を更に備えることを特徴とする請求項１乃至１２のいずれか記載の情報配信システム。
【請求項１４】
前記情報配信者に対して通信回線を介してページ情報登録画面を配信して、前記個別配信情報としての前記オリジナル画像及び本文章の送信を促し、且つ、送信された前記オリジナル画像に基づいて大画像・中画像・小画像を生成して、該大画像・中画像・小画像をＷＥＢ用画像として前記コンテンツ蓄積部に登録するページ情報加工部を備えることを特徴とする請求項１乃至１３のいずれか記載の情報配信システム。
【請求項１５】
前記個別配信部において、特定の前記個別配信情報に含まれる前記中画像又は小画像を他の前記個別ＷＥＢページに挿入させるようにし、該中画像又は小画像に対して、前記特定の個別配信情報を表示する前記個別ＷＥＢページに移動する為のリンクを設定したことを特徴とする請求項１４記載の情報配信システム。
【請求項１６】
前記個別配信部が前記個別ＷＥＢページに前記大画像を掲載すると共に、該大画像が前記個別ＷＥＢページの全面積に対して３０％以上を占めるようにしたことを特徴とする請求項１４又は１５に記載の情報配信システム。
【請求項１７】
更に、前記グループの管理者のそれぞれに管理画面を配信し、該グループに所属させる前記情報配信者の識別情報の入力を促すことで、前記所属情報の定義を変更可能にするグループ管理部を備えることを特徴とする請求項１乃至１６のいずれか記載の情報配信システム。
【発明の詳細な説明】
【技術分野】
【０００１】
本発明は、通信回線を介してサーバにより情報を配信する情報配信システムに関する。
【背景技術】
【０００２】
インターネットが普及した今日では、様々な情報を配信するポータルサイト、匿名で情報を交換する掲示板サイト、ネットで商品購入ができるオンラインショッピングサイト等が数多く立ち上げられ、日常の行動にも大きな影響を与えるようになった。ＨＴＭＬ形式やＸＭＬ形式等の言語によって作成しなければならないホームページに関しても、誰でも容易に作成できる支援ソフトウエア等が開発され、個人であっても容易に情報配信できる環境が整えられている。テレビやラジオのように一般消費者は情報を受けるだけという時代は過去の話となり、現在は、一般消費者が自ら進んで情報発信するようになると予想されている。
【０００３】
また、このような新たな情報配信環境が構築されているにも拘らず、依然として、新聞や雑誌、フリーペーパー、ちらし、ポスター等の従来のコンテンツも数多く利用されている。
【発明の開示】
【発明が解決しようとする課題】
【０００４】
しかしながら、現在は、インターネットでの情報配信とその他の媒体（例えば紙媒体）との間で、そのコンテンツがほとんど共有されていないのが実情である。例えば、インターネットでの情報配信は、各種システムを用いて行うが、それと同じコンテンツを書籍、雑誌、ポスター等で展開する際には、その目的に合った写真データ、記事、映像等をその都度用意している。インターネットでは、通信回線の伝送速度等の制約から、出来る限り低解像度の画像データであることが望まれるが、印刷等によって製版される紙媒体は、可能な限り高解像度の画像データを用いることで、鮮明に印刷する必要があるからである。
【０００５】
具体的に、ブログ等を用いたインターネット配信を中心に製作されたコンテンツは、そもそもインターネットでしか利用できない低解像度の画像が多い。従って、出版社がインターネット上のコンテンツに興味を持った場合でも、それを利用するには、情報配信者と交渉して、新たに紙媒体用の高解像度コンテンツを作成しなければならないという問題があった。
【０００６】
又、インターネット経由で情報を配信しているユーザが、次のステップとして、雑誌、書籍、ポスター等の高解像度媒体を用いた情報配信を希望する場合もある。しかし、自力でそのような媒体を用意することは、手間やコストを考えると極めて困難である。反対に、新聞、雑誌の高解像度媒体を企画、配布している企業側では、広告を含めた様々なコンテンツを常に探している。しかし、既に述べたような解像度の違いから、両者が出会って、高解像度のコンテンツを作成するに至ることは稀であり、相互のコンテンツ流通を促す観点からすると、現在の情報配信形態は効率の悪いものになっていると考えられた。
【０００７】
本発明は上記問題点に鑑みてなされたものであり、インターネットとそれ以外の高解像度媒体との間をシームレスに連動させて、相互のコンテンツ流通を促進可能な情報配信システムを提供する事を目的としている。
【課題を解決するための手段】
【０００８】
上記目的は、以下の手段によって達成されるものである。
【０００９】
（１）サーバを用い、通信回線を介して情報を配信する情報配信システムであって、グループの所属を意味する高解像度のれん表示情報が複数登録されるグループ蓄積部と、情報配信者の個別ＷＥＢページを生成するためのＷＥＢ用画像及び該ＷＥＢ用画像と比較して高解像度のオリジナル画像を含む個別配信情報が、該情報配信者毎に蓄積管理されるコンテンツ蓄積部と、前記通信回線を介して前記個別ＷＥＢページにアクセスがあった際に、該ＷＥＢ用画像を利用して前記個別ＷＥＢページを配信する個別配信部と、前記グループの管理者が、自らの前記グループに所属する前記情報配信者に対して、高解像度媒体の出力を促す催促画面を配信する高解像度媒体提案部と、前記高解像度媒体提案部を介して、前記情報配信者から前記グループ管理者に対して高解像度媒体の出力指示があった場合に、前記高解像度のれん表示情報及び前記オリジナル画像を含む前記個別配信情報を合成して高解像度出力データを生成する高解像度データ生成部と、を有することを特徴とする情報配信システム。
【００１０】
（２）前記グループ蓄積部が、各グループに対して複数種類の高解像度のれん表示情報を蓄積管理可能となっており、前記高解像度媒体提案部の前記催促画面では、前記情報配信者が前記複数種類の高解像度のれん表示情報から所望の情報を選択可能となっていること特徴とする（１）記載の情報配信システム。
【００１１】
（３）前記グループ蓄積部が、前記高解像度のれん表示情報として、ちらし用高解像度のれん表示情報及び電子ポスター用高解像度のれん表示情報を少なくとも蓄積可能となっており、前記高解像度データ生成部が、ちらし用高解像度出力データ及び電子ポスター用高解像度出力データを生成可能となっていること特徴とする（１）又は（２）記載の情報配信システム。
【００１２】
（４）更に、前記グループ蓄積部によって生成された前記電子ポスター用高解像度出力データを通信回線を解して受信し、電子ポスターとして画面表示可能なディスプレイ装置を備えることを特徴とする（３）記載の情報配信システム。
【００１３】
（５）前記グループ蓄積部が、前記高解像度のれん表示情報として、前記グループが発行する高解像度媒体の広告枠テンプレート情報を蓄積管理可能となっており、前記高解像度媒体提案部の前記催促画面では、前記情報配信者が前記広告枠テンプレート情報を選択可能となっており、前記高解像度データ生成部では、前記高解像度媒体の広告ページデータが生成されることを特徴とする（１）乃至（４）のいずれか記載の情報配信システム。
【００１４】
（６）更に、前記高解像度データ生成部において生成された高解像度出力データを電子メールを利用して前記情報配信者に送信する高解像度データ送信部を備えることを特徴とする（１）乃至（５）のいずれか記載の情報配信システム。
【００１５】
（７）前記グループ蓄積部には、更に、前記グループの所属を意味するＷＥＢ用のれん表示情報が複数登録され、前記通信回線を介して前記個別ＷＥＢページにアクセスがあった際に、前記個別配信部が、前記所属関係管理部の前記所属情報に基づいて前記ＷＥＢ用のれん表示情報を該個別ＷＥＢページに含めることで、前記グループに所属した状態で該個別ＷＥＢページを配信することを特徴とする（１）乃至（６）のいずれか記載の情報配信システム。
【００１６】
（８）前記ＷＥＢ用のれん表示情報が横幅方向に長い棒形式の情報とされており、前記個別配信部が、該ＷＥＢ用のれん表示情報を前記個別ＷＥＢページの上部に表示させるようにしたことを特徴とする（７）に記載の情報配信システム。
【００１７】
（９）前記ＷＥＢ用のれん表示情報には、メニューとして機能する複数のリンクボタンが含まれていることを特徴とする（７）又は（８）記載の情報配信システム。
【００１８】
（１０）前記グループ蓄積部には、各々の前記グループに関する案内情報が登録されており、前記ＷＥＢ用のれん表示情報に含まれる前記リンクボタンを経由して、前記案内情報にアクセス可能になっていることを特徴とする（９）記載の情報配信システム。
【００１９】
（１１）前記所属関係管理部における前記所属情報には、前記情報配信者が現在所属している前記グループ及び過去に所属していた前記グループの双方が定義されており、前記個別配信部が、過去に所属していた前記グループの前記ＷＥＢ用のれん表示情報を前記個別ＷＥＢページに含めて配信可能となっていることを特徴とする（７）乃至（１０）のいずれか記載の情報配信システム。
【００２０】
（１２）前記個別配信部が、現在所属する前記グループの前記ＷＥＢ用のれん表示情報を前記個別ＷＥＢページの上部に配置すると共に、過去に所属していた前記グループの前記ＷＥＢ用のれん表示情報を該個別ＷＥＢページの下部に配置したことを特徴とする（１１）記載の情報配信システム。
【００２１】
（１３）前記グループに所属する複数の情報配信者の前記個別配信情報を用いてグループ総合ページを生成・配信するグループ配信部を更に備えることを特徴とする（１）乃至（１２）のいずれか記載の情報配信システム。
【００２２】
（１４）前記情報配信者に対して通信回線を介してページ情報登録画面を配信して、前記個別配信情報としての前記オリジナル画像及び本文章の送信を促し、且つ、送信された前記オリジナル画像に基づいて大画像・中画像・小画像を生成して、該大画像・中画像・小画像をＷＥＢ用画像として前記コンテンツ蓄積部に登録するページ情報加工部を備えることを特徴とする（１）乃至（１３）のいずれか記載の情報配信システム。
【００２３】
（１５）前記個別配信部において、特定の前記個別配信情報に含まれる前記中画像又は小画像を他の前記個別ＷＥＢページに挿入させるようにし、該中画像又は小画像に対して、前記特定の個別配信情報を表示する前記個別ＷＥＢページに移動する為のリンクを設定したことを特徴とする（１４）記載の情報配信システム。
【００２４】
（１６）前記個別配信部が前記個別ＷＥＢページに前記大画像を掲載すると共に、該大画像が前記個別ＷＥＢページの全面積に対して３０％以上を占めるようにしたことを特徴とする（１４）又は（１５）に記載の情報配信システム。
【００２５】
（１７）更に、前記グループの管理者のそれぞれに管理画面を配信し、該グループに所属させる前記情報配信者の識別情報の入力を促すことで、前記所属情報の定義を変更可能にするグループ管理部を備えることを特徴とする（１）乃至（１６）のいずれか記載の情報配信システム。
【発明の効果】
【００２６】
本発明によれば、ＷＥＢコンテンツと高解像度コンテンツの双方に対して効率的に情報配信できるという優れた効果を奏し得る。
【発明を実施するための最良の形態】
【００２７】
以下、本発明の実施の形態を添付図面を参照して説明する。
【００２８】
図１に示されるように、本実施形態にかかる情報配信システム１は、配信サーバ２、電子ポスター用ディスプレイ３、データベース（ＤＢ）サーバ４、情報配信者が保有する配信者パーソナルコンピュータ（ＰＣ）６と、グループ管理者が保有するグループ管理者ＰＣ８、一般ユーザが保有する一般ＰＣ１０と、これらを繋ぐインターネットやイントラネット等の通信回線１２を備えている。
【００２９】
配信サーバ２は、本システムの運営者によって管理され、Ａｐａｃｈｅ等の専用ソフトウエアによるＷＷＷ（Ｗｏｒｌｄ  Ｗｉｄｅ  Ｗｅｂ）サーバ機能、アクセスログ管理機能、ＳＭＴＰ（Ｓｉｍｐｌｅ  Ｍａｉｌ  Ｔｒａｎｓｆｅｒ  Ｐｒｏｔｏｃｏｌ）等のメールサーバ機能等を備えており、例えばＴＣＰ／ＩＰ通信を介して他の端末と情報の受配信が可能となっている。電子ポスター用ディスプレイ４は、街頭やショッピングセンター等の人目につく場所に配置され、電子ポスター用高解像度データを電子的なポスターとして表示するものである。ＤＢサーバ４はシステム運営者によって管理され、データベースエンジン用のミドルウエア等を備えて各種データを蓄積・管理すると共に、配信サーバ２を経由して、蓄積データを外部に配信するようになっている。配信者ＰＣ６は、情報配信者（コンテンツ作成者）によって管理されており、配信サーバ１を経由して、ＤＢサーバ４にアクセスし、自らの個別配信情報を入力・更新・削除（メンテナンス）するものである。また、グループ管理者ＰＣ８は、同様にＤＢサーバ４にアクセスして、グループとしての各種情報を入力・更新・削除するものである。一般ＰＣ１０は、不特定多数のユーザによって管理されており、配信サーバ２にアクセスして、興味の有る情報を閲覧する端末となっている。
【００３０】
図２には、配信サーバ２の内部ハード構成が模式的に示されている。
【００３１】
この配信サーバ２は、制御手段１１０、記憶手段１２０、ＴＣＰ／ＩＰ通信インタフェース手段１３０を備えており、これの各手段がバス１４０を介して相互に接続されて信号をやり取りが可能となっている。制御手段１１０はＣＰＵであり、プログラムに従って、上記各手段の制御や各種演算処理等を行う。記憶手段１２０は、本情報配信システム１の基本動作を制御する制御プログラム等を格納するＲＯＭ、作業領域として一時的にプログラムやデータを記憶するＲＡＭ、容量の多いデータを格納するディスク型記録媒体等を備える。ＴＣＰ／ＩＰ通信インタフェース手段１３０は、ＬＡＮ等を介して通信回線１２に接続され、他の端末間の通信を行うためのインタフェースである。なお、ＤＢサーバ４や他のＰＣについても、略同様な構成であるため、ここでは上記説明によって省略する。
【００３２】
図３には、配信サーバ２及びＤＢサーバ４等によって実現される各構成要素が模式的に示されている。
【００３３】
図３に示されるように、本情報配信システム１は、大きくはグループ機能群Ｇと個別機能群Ｐに分かれている。グループ機能群Ｇは、具体的に、グループ管理部２００、グループ配信部２０２、グループ蓄積部２０４、高解像度媒体提案部２０７、高解像度データ生成部２０８、高解像度データ送信部２０９を備えており、グループ全体を管理するようになっている。また個別機能群Ｐは、個別配信部２１０、のれん表示処理部２１２、ページ情報加工部２１４、コンテンツ蓄積部２１６を備えている。また、グループ機能群Ｇと個別機能群Ｐを関連付ける役割として、所属関係管理部２２０が設けられており、更に販売・決済エンジン部２２２によってオンラインショッピング機能を個別に提供可能となっている。なお、グループ蓄積部２０４、コンテンツ蓄積部２１２、所属関係管理部２２０は主にＤＢサーバ４によって実現されており、それ以外の部分に関しては、配信サーバ２のプログラム等によって実現される。なお、ここでは配信サーバ２とＤＢサーバ４が別々の装置によって実現されているが、本発明はそれに限定されず、一台のサーバ装置によって実現することも可能であり、反対に、負荷に応じて３台以上の装置を用いて実現しても構わない。
【００３４】
グループ蓄積部２０４には、グループの所属を意味する高解像度のれん表示情報３００及びＷＥＢ用のれん表示情報３０２が複数登録される。高解像度のれん表示情報３００は図４に示されるように、紙媒体や電子ポスター等の出力等に用いるための高解像度データであり、グループを識別可能なデザイン性の高いものとなっている。なお、ここでは各グループに対して、第１ちらし用３００Ａ、第２ちらし用（縦方向文字列）３００Ｂ、電子ポスター用３００Ｃの３種類の高解像度のれん表示情報３００を示しているが、１種類の高解像度のれん表示情報３００を複数の出力形式で共有させてもよい。
【００３５】
一方、上記高解像度のれん表示情報３００と比較すると低解像度となる（或いはＨＴＭＬやＸＭＬ等のＷＥＢ配信専用言語で記載されている）ＷＥＢ用のれん表示情報３０２は、図５に示されるように、ＷＥＢページにおける幅方向に長いバー（棒）形式の情報となっており、グループ名称３０４、グループとして必要な情報にアクセスさせるリンクメニュー３０６等を有している。例えば、リンクメニュー３０６の中のＴＯＰリンク３０６Ａをクリックすると、ＷＥＢ用のれん表示情報３０２（グループ）を代表するグループ総合ページに移動することが出来る。なお、グループ総合ページでも本ＷＥＢ用のれん表示情報３０２が表示される。また、リンクメニュー３０６の中のプルダウンボタン（例えばプロジェクトボタン）３０６Ｂをクリックすると、下位情報にジャンプする為の下位リンク３０６Ｃがプルダウン表示され、この下位リンク３０６をクリックすることで、希望のＷＥＢページに移行することが出来る。
【００３６】
更にＷＥＢ用のれん表示情報３０２には、このグループに所属する個別メンバーのリストを得るためのメンバーボタン３０６Ｄが用意されている。このメンバーボタン３０６Ｄをクリックすると、このグループに所属しながら個別に情報配信を行っている個別メンバーのリストがプルダウン表示され、各リストのリンク３０６Ｅをクリックすることで、個別メンバーのＷＥＢページにアクセスすることができる。なお、ここではプルダウン表示する場合を示したが、それ以外にも、メンバーボタン３０６Ｄをクリックすると、個別メンバーのリスト及びアクセスリンクが表示されるメンバー一覧ページ又はメンバー検索ページ等にアクセス可能にしてもよい。
【００３７】
以上のことから、ＷＥＢ用のれん表示情報３０２は、グループの所属関係を視覚的に知らしめるのれん機能と共に、グループとして配信している案内情報（ＷＥＢページ）にアクセスするためのリンク機能を有している。これによって、組織運営に必要な全機能を自在に提供するようになっている。グループ蓄積部２０４には様々なＷＥＢ用のれん表示情報３０２が蓄積されており、このＷＥＢ用のれん表示情報３０２をグループ特定手段とすることで、様々なグループが形成されている。
【００３８】
グループ管理部２００は、グループの管理者の管理者ＰＣ８に対して、例えば図６に示されるＷＥＢ用のれん管理画面３２０を配信する。例えば、ＷＥＢ用のれん管理画面３２０には、グループ代表ＵＲＬ、グループロゴ画像、グループ名称、グループ紹介文章、第１メニューボタン名称、第１メニューよりも下位に属する複数の下位リンク名称・ＵＲＬ、第２メニューボタン名称、第２メニューよりも下位に属する複数の下位リンク名所・ＵＲＬ等の各種情報入力欄（更新欄）が表示される。従って、この管理画面３２０によってＷＥＢ用のれん表示情報３０２をグループ管理者が自在にカスタマイズできるようになっている。なおここでは特に図示していないが、ＷＥＢ用のれん表示情報３０２のバーの色や、文字の色、リンクの色等を入力させて、色彩に関してもカスタマイズ可能にしてもよい。
【００３９】
更にグループ管理部２００は、図７（Ａ）に示されるような所属メンバー管理画面３５０も配信する。この所属メンバー管理画面３５０は、管理者が運営するグループに所属を希望する個別情報配信者の識別情報（個別ＩＤ）を入力する入力欄、グループから脱退する個別情報配信者の識別情報を入力する入力欄、これらの情報を送信する送信ボタン等を有している。これにより、図７（Ｂ）に示されるように、所属関係管理部２２０におけるグループの所属情報が定義された所属データベース３６０を更新可能となっている。この所属データベース３６０は、個人情報配信者にユニークに設定された識別情報３６２と、この情報配信者が現在所属しているグループのグループ管理情報（管理ＩＤ）３６４と、過去に所属していたグループ管理情報３６６が蓄積されている。なお、現在所属しているグループは１つの場合に限定されず、２以上のグループに同時に所属している場合も考えられる。本実施形態では、同時に２つのグループまでが登録可能で、又過去の履歴としては直近７グループまで登録可能となっている。
【００４０】
従って、ＷＥＢ用のれん表示情報３０２内で所属メンバーを一覧表示する場合や、所属メンバーを検索する場合には、この所属関係管理部２２０と連動して実現することになる。
【００４１】
なお、図６及び図７（Ａ）で示した管理画面３２０、３５０に対するアクセスは、予め管理者に提供されているパスワードを用いて、管理者が管理者ＰＣ８を用いて配信サーバ２にログインできた場合に、初めて認めるようにして、セキュリティーを高めるようにしている。
【００４２】
ページ情報加工部２１４は、配信者ＰＣ６に対して、通信回線１２を介して図８に示されるようなページ情報登録画面４００を配信する。このページ情報登録画面４００は、個別配信情報として、カテゴリ選択欄４０２、タイトル入力欄４０４、本文入力欄４０６、参考リンク先ＵＲＬ入力欄４０８、画像アップロード入力欄４１０、情報送信ボタン４１２、ショッピング選択欄４１６等を有しており、配信者に対してこれらの情報を入力するように促す。配信者は、上記各入力欄の情報を埋めていき、情報送信ボタン４１２をクリックすることで、ページ情報加工部２１４に対してこれらの情報を送信する。特にここでは、すくなくとも１つの高解像度のオリジナル画像（素材画像／原画）と本文を入力させることによって、画像を中心とした情報配信を可能にしている。高解像度のオリジナル画像は、雑誌やポスター等に用いることができる程度の画質、例えば解像度７２（ｄｐｉ）以上、より好ましくは１５０（ｄｐｉ）を要求しており、多目的な利用を可能としている。
【００４３】
情報を受信したページ情報加工部２１４は、図８に示されるように、受信した情報を個別配信情報４２８としてコンテンツ蓄積部２１６に登録する。具体的には、受信したオリジナル画像４３０に基づいて、個別ＷＥＢページ用画像となる大画像４３２、リンク用の中画像４３４、アイコン又は携帯端末用の小画像４３６を画像生成プログラムによって自動生成し、これらの各画像４３２、４３４、４３６も個別配信情報４３２に含めて登録しておく。従って、各個別配信情報４２８には、記事番号４４０、カテゴリ４４２、タイトル４４４、本文４４６、オリジナル画像４３０、加工済み画像４３２、４３４、４３６、リンク先ＵＲＬ４４８、入力／更新タイムスタンプ４５０、ショッピング機能要否４５２等が含まれるようになる。コンテンツ蓄積部２１６には、情報配信者毎に複数の個別配信情報（個別ＷＥＢページ）４２８が順次蓄積される。
【００４４】
なお、ここでは多目的な利用を可能とする高解像度のオリジナル画像４３０から、ＷＥＢ用の各画像４３２、４３４、４３６を自動生成する場合を示したが、例えば、オリジナル画像４３０と別に、ＷＥＢ用画像の中では最高画質の大画像４３２も別途アップロードさせることで、この大画像４３２を利用して中画像４３４、小画像４３６を生成するようにしても良い。この場合は、オリジナル画像４３０とＷＥＢ用画像が解像度を除いて略同じであることをチェックする比較プログラムを組み込んでおくことが望ましい。
【００４５】
次に、多目的コンテンツへの出力方法について説明する。
【００４６】
高解像度媒体提案部２０７は、図１０（Ａ）に示されるような出力機能設定画面４６０をグループ管理者に対して配信可能となっている。この出力機能設定画面４６０では、第１ちらし、第２ちらし、ポスター、電子ポスター、携帯コンテンツ、広告出稿という６種類の出力機能から、グループに所属する個別メンバーに対して提供したい機能を選択可能となっている。また、出力機能設定画面４６０にはテンプレートボタンが用意されており、このボタンを経てテンプレート選択画面４６２に移行することが出来る。テンプレート選択画面４６２では、例えばフレームデザインや、背景デザイン、挿入キャラクター等の複数種類の出力用テンプレート４６４から所望のものを選択することが可能となっている。なお、この各出力用テンプレート４６４には、テンプレート作成者の識別番号が振られており、実際に出力データとして利用されると、利用料金が計算されて作成者に支払われる仕組みになっている。
【００４７】
更に高解像度媒体提案部２０７は、図１０（Ｂ）に示されるような催促画面４８０を個別メンバーに対して配信する。この催促画面４８０には、グループ管理者によって設定された上記出力機能の中から、特定の出力機能を選択できるようになっている。具体的に本実施例では、第１、第２ちらし出力、電子ポスター、広告出稿を選択できるようにしている。
【００４８】
高解像度データ生成部２０８は、高解像度媒体提案部２０７の催促画面４８０を介して、個別メンバーからグループ管理者に対して高解像度媒体の出力要求があった場合、高解像度出力データを生成する。具体的に図１１（Ａ）に示されるように、グループ管理者が登録した高解像度のれん表示情報３００と、個別メンバーのオリジナル画像４３０と、タイトル４４４、本文４４６、そして出力用テンプレート４６４を自動的に合成して高解像度出力データを生成する。この際、出力先として、メールアドレスやサーバ、ディスプレイ等を自ら設定することも出来る。従って、個別メンバーがちらし印刷を希望する場合には、ちらし印刷用の高解像度出力データが生成され、電子ポスターによる配信を望む場合には、電子ポスター用の高解像度出力データが生成される。
【００４９】
なお、出力機能として「広告枠出稿」を選択する場合は、図１１（Ｂ）に示されるように、１つの高解像度のれん表示情報３００と、広告枠出力用テンプレート４６４に対して、その枠の中に複数の個別メンバーのオリジナル画像４３０等を先着順で順次挿入していくようにする。このようにすれば、住宅雑誌や、求人情報誌などを出版する企業等が、自らグループ管理者となり、これらの雑誌に出稿したい者を個別メンバーとして所属させ、その個別メンバーに個別ＷＥＢページを配信させながら、グループとして自動的に広告を集めて紙媒体として出力することが可能になる。
【００５０】
又高解像度データ送信部２０９は、高解像度データ生成部２０８で生成された高解像度出力データを、目的に応じて様々な場所に配信する。例えば、ちらしの場合は、グループ管理者が予め指定している印刷業者、或いは出力用テンプレート４６４を提供した印刷業者に通信回線を介して配信することで、直ぐに印刷作業にとりかかれるようになっている。また、電子ポスター用の高解像度出力データの場合は、グループ管理者が指定する電子ポスター用ディスプレイ４に通信回線を介して配信され、電子ポスターとして自動的に表示されるようになっている。なお、個別ユーザが自分自身で印刷する場合には、通信回線を介して個別ユーザのＰＣ６に高解像度データを送信するようにしても良い。通信回線を介したデータ送信に関しては、ＦＴＰ等のプロトコルを用いて直接送信する場合の他、電子メールの添付ファイル形式で送信することも可能である。なお、これらの送信先の指示は、既に図１１（Ｂ）で示した催促画面４８０によって情報配信者が設定する場合に限らず、グループ管理者側で強制的に設定するようにしてもよい。
【００５１】
次に、インターネットによる情報配信について詳細に説明する。
【００５２】
まず、一般ＰＣ１０から情報配信要求があった場合に、個別配信部２１０は、要求された記事番号４４０に基づいてコンテンツ蓄積部２１６を参照し、個別配信情報４２８を抽出する。更に、所属データベース３６０（図７（Ｂ）参照）にもアクセスして、その情報配信者の所属グループを分析し、図１２に示されるような個別ＷＥＢページ５００を生成する。
【００５３】
この個別ＷＥＢページ５００は、上部にＷＥＢ用のれん表示情報３０２が自動的に挿入されている。即ち、個別配信情報４２８とＷＥＢ用のれん表示情報３０２の双方に基づいて、１つの個別ＷＥＢページ５００が生成される。この結果、個別ＷＥＢページ５００に直接アクセスした者であっても、情報配信者がどのグループに現在所属しているかに関して視覚的に判断可能となっている。また、このように、ＷＥＢ用のれん表示情報３０２が自動的に挿入されることで、個人で発信している情報にも関わらず、そのグループの一員として配信していることにもなっている。
【００５４】
また、過去に所属していたグループについては、過去のＷＥＢ用のれん表示情報３０２Ａ、３０２Ｂ、３０２Ｃとしてページの下部に表示される。過去のＷＥＢ用のれん表示情報３０２Ａ、３０２Ｂ、３０２Ｃは、メニューボタン等が削除されると共に、バー形状における縦方向寸法（バーの幅の広さ）が小さくなった状態で表示される。この過去のＷＥＢ用のれん表示情報をクリックすると、グループ総合ページに移動することが可能である。その結果、情報配信者が過去にどのようなグループに所属してきたかを、閲覧者に知らせることができ、現在の状況だけでは把握できないような、配信者の性格や趣味、生い立ち、考え方等、幅の広い間接的情報による交流を進展させることができる。なお、過去のＷＥＢ用のれん表示情報３０２Ａ、３０２Ｂ、３０２Ｃについて、そのサイズを現在よりも小さくしたのは、複数の過去の履歴を表示した際に、個別ＷＥＢページが縦方向に長くなってしまうことを防止し、デザイン性を高めるためである。
【００５５】
個別ＷＥＢページ５００の中央近傍には、個別配信情報４２８の大画像４３２が表示される。この大きさは、ＷＥＢページ５００のデザインの外枠に囲まれた全体面積の３０％を超えるように設定されているので、この大画像４３２がページの主要部となっている。なお、更に好ましくは個別ＷＥＢページ５００全体の５０％以上をこの大画像４３２によって占めるようにする。大画像４３２の上部には、タイトル４４４が表示され、下部には本文４４６が表示されている。更に、本文４４６と、最下部の過去のＷＥＢ用のれん表示情報３０２Ａ、３０２Ｂ、３０２Ｃの間には、この情報配信者によって登録された他の個別配信情報４２８の小画像４３６及びタイトル４４４（の一部）が、新着順に横方向に並んで表示される。この小画像４３６をクリックすると、その小画像４３６を含んだ個別配信情報４２８の個別ＷＥＢページ５００にジャンプする。従って情報配信者が登録した複数の個別ＷＥＢページ５００間を自在に移動可能となっている。
【００５６】
なお、特に図示しないが、この小画像４３６は、携帯電話等に対して配信する携帯端末専用ＷＥＢページの中心画像として用いられている。また、コンテンツ蓄積部２１６において、個別配信情報４２８のショッピング機能要否４５２をＯＮにした場合には、個別配信部２１０が、ショッピング処理エリア５１０を自動挿入する。このショッピング処理エリア５１０には、大画像４３２に掲載されている商品をオンラインで購入するための価格表示（これも予め個別配信情報４２８に登録しておく）と購入ボタンが少なくとも含まれており、この購入ボタンをクリックすることで販売・決済エンジン部２２２（図３参照）が起動し、購入リストと金額を提示して、オンライン決済が可能となっている。なお、オンライン決済を実行する場合には、通信回線を介してクレジット会社や銀行等の金融会社が保有する決済処理サーバにアクセスして、具体的な決済を行うようにする。
【００５７】
個別配信部２１０は、図１３に示されるように、情報配信者にとっての個別トップＷＥＢページ６００を配信可能となっている。この個別トップＷＥＢページ６００でも、上部にＷＥＢ用のれん表示情報３０２が、下部には過去のＷＥＢ用のれん表示情報３０２Ａ、３０２Ｂ、３０２Ｃが自動的に挿入される。中央には、情報配信者が登録した全ての個別配信情報４２８の中から、アクセスの多い情報を３つ抽出し、その中画像４３４及び本文４４６（の一部）を表示する。なお、ここではアクセスの多い順に示す場合を示したが、本発明はそれに限定されず、情報配信者が選択することによって任意に個別トップページ６００を構成することも可能である。更に、個別トップＷＥＢページ６００の左サイドには、自己紹介文章６０２や新着記事６０４等も掲載可能となっている。この場合は予め、コンテンツ蓄積部２１６にこれらの情報を登録しておくようにする。また個別トップページ６００の下方には情報配信者がお勧めする個別配信情報４２８の小画像４３６及びタイトル４４４（の一部）が、横方向に並んで表示されている。このようにして、大・中・小の画像を効果的に利用しながら、自動的に情報配信が可能となっている。
【００５８】
グループ配信部２０２は、図１４に示されるように、一般ＰＣ１０からの送信要求に対して、グループ総合ページ７００を配信する。具体的には、グループ配信部２０２が所属データベース３６０を参照し、そのグループに所属している複数の情報配信者の個別配信情報４２８から新着情報を抽出し、中画像４３４、又は小画像４３６を数件表示することによってコンテンツを紹介する。例えば、この中画像４３４をクリックすると、個別トップページ６００又は個別ＷＥＢページ５００にジャンプする。又、管理者が自ら推薦する情報配信者（の個別配信情報４２８）を選択して、お勧め情報として紹介することも可能である。その際、個別配信情報４２８におけるタイトル４４４や本文４４６を抽出して、表示するようにしてもよい。
【００５９】
このグループ総合ページ７００の上部には、このグループのＷＥＢ用のれん表示情報３０２が表示されている。従って、このグループに所属している個別ＷＥＢページ５００等を移動していく限りでは、ＷＥＢ用のれん表示情報３０２が全てにおいて共通化されているので、グループ全体の総合情報サイトが、所属している個別配信者によって運営されているような状況を自動的に生成することができる。
【００６０】
グループ総合ページ７００の中央の左側には、グループ紹介文章７０２及びメンバーの参加状況７０４等が掲載されている。これは、グループの管理者が適宜更新していくものである。
【００６１】
以上のグループ管理構成によれば、情報配信者が、自らのステージに応じて、様々なグループに所属していくことが可能になる。例えば図１５に示されるように、情報配信者であるＡ君は、通っているＢ大学が運営しているグループに所属しながら、個別に情報発信を行う。そして、個別トップＷＥＢページ６００や個別ＷＥＢページ５００を用いて自分の能力等をＰＲしながら就職活動を行う。そして、Ｃ会社への入社が決定し、勤務を開始した段階で、Ｂ大学グループの所属から外れ、Ｃ会社が運営するグループに所属する。その際に、今まで大学生活で配信してきた情報を、そのまま移動させることが出来る。又、Ｂ大学に所属していたという履歴も、過去のＷＥＢ用のれん表示情報として表示することが可能になる。従って、Ｃ会社に所属している多くのメンバーの中で交流していく中で、Ｂ大学出身のメンバーとも容易に出会うことが可能になる。また、ここでは特に図示しないが、そのようにＢ大学出身のメンバーが集まった場合、その中の一人或いは全員で、Ｃ社内のＢ大学ＯＢという新たなグループサイトを開設して、そのグループにも同時に所属してもよい。その後、Ｙ会社に転職した場合には、Ｃ会社の所属から外れて、Ｙ会社にコンテンツを移動させる。その場合は、Ｂ大学所属、Ｃ会社所属という履歴を保有しながら、Ｙ会社のグループ内で情報配信することができる。
【００６２】
更に、この情報配信システム１によれば、低解像度データによる個別ＷＥＢページ５００の配信と、ちらし、ポスター、電子ポスター等の高解像度データが要求される他媒体の配信を、一つのシステムで両立させることが可能になる。特に、個別ＷＥＢページ５００を配信している情報配信者を、特定のグループに所属させることで、そのグループ管理者が作成した高解像度のれん表示情報を含めた形式による高解像度媒体出力機能が提供されるようになっている。つまり、情報配信者とグループ管理者との信頼関係によって、高解像度データが生成されることになるので、グループ管理者の信用に裏づけされたポスターや電子ポスターを生成することが可能になり、個人の域を超えた情報配信が可能となっている。
【００６３】
また、情報配信者とグループ管理者との信頼関係（所属関係）は、情報配信者が公開している個別ＷＥＢページ５００の具体的な内容を介して構築される。つまり、低解解像度媒体である個別ＷＥＢページ５００をグループ管理者が閲覧し、その内容、センス、趣味、考え方等から、グループの方向性と一致しているか否か予め判断（審査）し、自らのグループに所属させるか否かを決定できるので、その結果、安心して所属メンバーに対して高解像度のれん表示情報を用いた出力機能を提供することが可能になっている。
【００６４】
更に、本情報配信システム１では、個別ＷＥＢページ５００の製作段階において、将来の高解像度媒体出力を想定したオリジナル画像４３０をアップロードさせるようにしている。従って、情報配信者は、従来の個別ＷＥＢページ５００の製作プロセスに沿うだけで、無意識的に高解像度媒体に対する出力準備を行っていることになる。この結果、インターネットと他の媒体との間でのコンテンツ流通を促進させることになる。
【００６５】
又、この情報配信システム１によれば、過去に配信してきた個別配信情報４２８を保有しながらグループ間を移動し、個別ＷＥＢページ５００やポスター等の高解像度媒体を通じて、新たな情報を発信していくことが可能になる。その結果、個別配信情報４２８を有効活用できると共に、お互いの過去の経験等を含めた中身の濃い情報交流が通信回線上でも紙媒体上でも実現可能になる。また、実際の社会生活のように、個人でありながら、家族の一員であり、更に何らかのグループ（例えば企業や学校、サークル）に所属しているという多層の生活環境を、インターネットの環境においても、ＷＥＢ用のれん表示情報を用いることで実現できる。また、自分のコンテンツを用いながら、様々なグループの所属を含んだちらしやポスター等を生成することが可能になる。
【００６６】
また本情報配信システム１によれば、画像を中心として情報を配信していることから、デジタル写真等を利用できる者であれば、ちらし、電子ポスター等の高解像度媒体と、個別ＷＥＢページの双方に対して容易に情報配信が可能となっている。更に、１つのオリジナル画像４３０を基礎としているので、このオリジナル画像４３０を高解像度媒体向けに多目的に活用する一方、ＷＥＢによる情報配信に適した画像を少なくとも３種類自動生成して、様々な場面で利用出来るようにしている。更に、オンラインショッピング機能をいつでも追加できるので、画像単位で（即ち個別配信情報単位で）、いつでも簡便にオンラインショッピングに移行できる。オンラインショッピングと、高解像度のちらしを併用すれば、紙媒体で販促活動を行いつつ、オンラインによる商品販売活動を行うことが可能になる。
【００６７】
なお、本実施形態では、個別ＷＥＢページの上部に１つのＷＥＢ用のれん表示情報が掲載される場合に限って示したが、本発明はそれに限定されない。例えば、２つ以上のＷＥＢ用のれん表示情報を同時に掲載することで、その配信者が同時に所属しているグループを表示することも可能である。またその際に、所属の優越（絆の強さ）に応じて、のれんの大きさを異ならせたり、色の濃さを変えたりすることも可能である。例えば、ＷＥＢ用のれん表示情報を自動的に変化させる場合には、そのグループ内での個別配信情報の掲載回数や、記事へのアクセス数等を用いることができる。積極的に情報配信している者には、大きなのれんを提供することも可能である。
【００６８】
また、紙媒体等において、ここでは１つの高解像度のれん表示情報を用いて高解像度出力データを生成する場合に限って示したが、本発明はそれに限定されず、複数のグループに所属しているメンバーが、各グループの高解像度出力データを組み合わせた形式で高解像度出力データを生成するようにしても良い。このようにすると、自分の過去の所属履歴を含んだ高解像度媒体を得ることが可能になる。
【００６９】
また、ここでは個別情報配信者とグループの管理者が別々である場合を示したが本発明はそれに限定されない。例えば、最初は個人のれん（即ち、他人の登録が零の状態）で情報発信を行い、有る程度のアクセスを確保できた段階で、自分自身が自らのグループのれんに切り替えて、他の配信者の登録を受け付けていくことも可能である。また、ここでは、グループに対する所属の管理を、グループ管理者が実行する場合に限って示したが、例えば、グループに自由に参加できるようにすることもできる。また、ここでは個別ＷＥＢページ等で、上部にバー形式ののれんを示す場合を示したが、本発明はそれに限定されず、一定の面積によって、視覚的にグループ表示が可能であれば、他の形状であっても構わない。また、上下に長いバー形式により、左サイドに現在ののれん、右サイドに過去ののれんを表示することもできる。これは紙媒体の高解像度出力データにおいても同様である。
【産業上の利用可能性】
【００７０】
本発明は、インターネットショップ等のＥＣシステム、アフィリエイトシステム等に利用することが可能である。
【図面の簡単な説明】
【００７１】
【図１】本実施形態の情報配信システムのシステム構成例を模式的に示すシステム構成図
【図２】同情報配信システムのサーバ等の内部構成を示すブロック図
【図３】同情報配信システムの機能構成を示すブロック図
【図４】同情報配信システムの高解像度のれん表示情報の例を示す図
【図５】同情報配信システムに蓄積されるＷＥＢ用のれん表示情報の例を示す図
【図６】同情報配信システムによって配信されるグループ管理画面の例を示す図
【図７】（Ａ）は、同情報配信システムによって配信される所属メンバー管理画面の例を示す図、（Ｂ）は同所属メンバー管理画面によって更新される所属関係データベースの構成例を示す配列図
【図８】同情報配信システムによって配信されるページ情報登録画面の例を示す図
【図９】同情報配信システムに蓄積される個別配信情報のデータベース構成例を示す配列図
【図１０】（Ａ）は、同情報配信システムによって配信される出力機能設定画面の例を示す図、（Ｂ）は、同情報配信システムによって配信される催促画面の例を示す図
【図１１】（Ａ）は、同情報配信システムのよって生成される高解像度出力データの例を示す図、（Ｂ）は、同情報配信システムによって生成される広告枠出力データの例を示す図
【図１２】同情報配信システムによって配信される個別ＷＥＢページの例を示す図
【図１３】同情報配信システムによって配信される個別トップＷＥＢページの例を示す図
【図１４】同情報配信システムによって配信されるグループ総合ページの例を示す図
【図１５】同情報配信システムによる情報配信者の移動例を模式的に示す概念図
【符号の説明】
【００７２】
１          情報配信システム
２          配信サーバ
３          ディスプレイ
４          データベースサーバ
６          配信者ＰＣ
８          グループ管理者ＰＣ
１０        一般ＰＣ
１２        通信回線
３０２      ＷＥＢ用のれん表示情報
３００      高解像度のれん表示情報
３２０      グループ管理画面
３５０      所属メンバー管理画面
３６０      所属データベース
４００      ページ情報登録画面
４２８      個別配信情報
４６０      出力機能設定画面
４６２      テンプレート選択画面
４８０      催促画面
５００      個別ＷＥＢページ
６００      個別トップＷＥＢページ
７００      グループ総合ページ  
【図１】
2007102663.tif 000003
【図２】
2007102663.tif 000004
【図３】
2007102663.tif 000005
【図４】
2007102663.tif 000006
【図５】
2007102663.tif 000007
【図６】
2007102663.tif 000008
【図７】
2007102663.tif 000009
【図８】
2007102663.tif 000010
【図９】
2007102663.tif 000011
【図１０】
2007102663.tif 000012
【図１１】
2007102663.tif 000013
【図１２】
2007102663.tif 000014
【図１３】
2007102663.tif 000015
【図１４】
2007102663.tif 000016
【図１５】
2007102663.tif 000017